(57)【要約】【課題】  縦刃部の砕土性能や鋤込み性能を向上させる。【解決手段】  耕耘装置１は、回転動可能に支持された軸部２２の外周に軸部２２の軸心線Ｓに対して直交する面から所定角度傾斜させて耕耘爪５０が装着される耕耘フランジ３１を設けた耕耘軸２１を備える。耕耘爪５０は直線状に延びる縦刃部５３とこの先端側に一方側に湾曲形成された横刃部５７とを有してなる。耕耘フランジ３１は縦刃部５３の基部に連続的に繋がる取付け基部を装着可能な側面を形成し、側面に沿って取付け基部を取り付けると、縦刃部５３は耕耘フランジ３１と同様に軸部２２の軸心線Ｓに対して直交する面から所定角度傾斜した状態で軸部２２に配設される。耕耘フランジ３１は軸部２２の長手方向に所定間隔を有して複数配設され、軸部２２の長手方向に隣接する耕耘フランジ３１は位相をずらして配設される。【選択図】  図１
2005318819.tif 000002
【特許請求の範囲】
【請求項１】
回転動可能に支持された軸部の外周に前記軸部の軸心線に対して直交する面から所定角度傾斜させて耕耘爪が装着される耕耘爪取付部を設けたことを特徴とする耕耘装置。
【請求項２】
回転動可能に支持された軸部の外周に前記軸部の軸心線に対して直交する面から所定角度傾斜させた耕耘爪取付部を備え、
前記耕耘爪取付部に、直線状に延びる縦刃部と該縦刃部の先端側に一方側に湾曲形成された横刃部とを有してなる耕耘爪を装着したことを特徴とする耕耘装置。
【請求項３】
前記耕耘爪取付部は、直線状に延びる縦刃部と該縦刃部の先端側に一方側に湾曲形成された横刃部とを有してなる耕耘爪の直線状に延びる部分を装着可能な面部を有することを特徴とする請求項１又は２に記載の耕耘装置。
【請求項４】
前記耕耘爪取付部を、前記軸部の長手方向に所定間隔を有して複数配設したことを特徴とする請求項１から３のいずれかに記載の耕耘装置。
【請求項５】
前記軸部の長手方向に隣接する耕耘爪取付部同士を、互いの位相をずらして配設したことを特徴とする請求項４に記載の耕耘装置。
【請求項６】
前記軸部の長手方向に隣接する耕耘爪取付部同士を、同位相で配設したことを特徴とする請求項４に記載の耕耘装置。
【請求項７】
前記軸部に設けられた複数の耕耘爪取付部を、長手方向において略左右対称の位相で配置したことを特徴とする請求項４に記載の耕耘装置。
【請求項８】
前記耕耘爪取付部に前記耕耘爪を装着した前記軸部が回転すると、同一方向に湾曲した耕耘爪の土壌への打ち込み跡が前記軸部の両端部から中央部側へ、又は中央部から両端部側へ向かって移動するような耕耘爪配列としたことを特徴とする請求項４から７のいずれかに記載の耕耘装置。
【請求項９】
前記耕耘爪取付部に前記耕耘爪を装着した前記軸部が回転すると、同一方向に湾曲した耕耘爪の土壌への打ち込み跡が前記軸部の一端側から他端側へ向かって移動するような耕耘爪配列としたことを特徴とする請求項４から７のいずれかに記載の耕耘装置。
【発明の詳細な説明】
【技術分野】
【０００１】
本発明は、縦刃部及び横刃部を形成してなる耕耘爪が取り付けられる耕耘軸を備えた耕耘装置に関する。
【背景技術】
【０００２】
圃場を耕耘する耕耘装置には、回転動可能に支持された軸部の外周に耕耘爪を放射状に複数取り付けた耕耘軸を備え、耕耘爪は、直線状に延びる縦刃部と縦刃部の先端側に一方側に湾曲形成された横刃部とを有して構成されたものが知られている（特許文献１参照）。
【０００３】
耕耘爪は、軸部の外周に設けられた爪取付けボックスに縦刃部の基端部が爪取付けボックスに沿って挿入されて固定されている。爪取付けボックスは軸部の軸心線に対して直交するようにして配設されている。つまり、耕耘爪が爪取付けボックスに取り付けられると、縦刃部は軸部の軸心線に対して直交する方向に向いた状態になる。このため、耕耘爪を設けた耕耘軸が回転動すると、縦刃部が耕土内に真っ直ぐに打ち込まれ、横刃部が土塊を叩いて砕土する。
【０００４】
【特許文献１】特許第３２１４２４８号公報（図６）
【発明の開示】
【発明が解決しようとする課題】
【０００５】
この従来の耕耘軸に設けられた耕耘爪の縦刃部は、耕土内に真っ直ぐに打ち込まれるように軸部に取り付けられているので、縦刃部がその回転範囲内に存在する土塊を砕土したり藁や雑草等の夾雑物を鋤込んだりする作用面は、縦刃部の厚さに依存することになり、そして縦刃部の厚さは薄い。このため、縦刃部は、土塊を砕土したり夾雑物を鋤込んだりする仕事量が小さく、土塊の砕土性能や夾雑物の鋤込み性能が低いという問題がある。
【０００６】
本発明は、このような問題に鑑みてなされたものであり、縦刃部の砕土性能や鋤込み性能を向上させることが可能な耕耘装置を提供することを目的とする。
【課題を解決するための手段】
【０００７】
上記目的を達成するために本発明の耕耘装置は、回転動可能に支持された軸部の外周に軸部の軸心線に対して直交する面から所定角度傾斜させて耕耘爪が装着される耕耘爪取付部を設けたことを特徴とする。
【０００８】
この発明によれば、軸部の外周に軸部の軸心線に対して直交する面から所定角度傾斜させた耕耘爪取付部を設けることにより、耕耘爪取付部に直線状に延びる縦刃部を有した耕耘爪の縦刃部を取り付けると、この縦刃部を軸心線に対して直交する面から所定角度傾斜させた状態で軸部に装着することができ、この状態で軸部が回転動すると、斜め方向に傾斜した縦刃部によって砕土・鋤込み作業を行うことができる。つまり、縦刃部の耕土に作用する作用面の大きさを拡大させて、縦刃部が行う仕事量を増大させることができる。
【０００９】
また本発明は、回転動可能に支持された軸部の外周に軸部の軸心線に対して直交する面から所定角度傾斜させた耕耘爪取付部を備え、耕耘爪取付部に、直線状に延びる縦刃部と該縦刃部の先端側に一方側に湾曲形成された横刃部とを有してなる耕耘爪を装着したことを特徴とする。
【００１０】
この発明によれば、軸部の外周に軸部の軸心線に対して直交する面から所定角度傾斜させた耕耘爪取付部を設け、この耕耘爪取付部に縦刃部と横刃部とを有してなる耕耘爪を装着することにより、耕耘爪取付部に耕耘爪の縦刃部を装着すると、この縦刃部を軸心線に対して直交する面から所定角度傾斜した状態で軸部に装着することができ、この状態で軸部が回転動すると、斜め方向に傾斜した縦刃部によって砕土・鋤込み作業を行うことができる。つまり、縦刃部の耕土に作用する作用面の大きさを拡大させて、縦刃部が行う仕事量を増大させることができる。
【００１１】
また本発明は、耕耘爪取付部は、直線状に延びる縦刃部と該縦刃部の先端側に一方側に湾曲形成された横刃部とを有してなる耕耘爪の直線状に延びる部分を装着可能な面部（例えば、実施形態における側面３１ａ）を有することを特徴とする。
【００１２】
この発明によれば、耕耘爪取付部は縦刃部の直線状に延びる部分を装着可能な面部を有することにより、縦刃部の直線状に延びる部分を面部に沿わせた状態で耕耘爪を耕耘爪取付部に装着することができ、縦刃部の装着方向を面部の延びる方向と同一方向にすることができる。
【００１３】
さらに本発明は、耕耘爪取付部を軸部の長手方向に所定間隔を有して複数配設したことを特徴とする。
【００１４】
この発明によれば、耕耘爪取付部を軸部の長手方向に所定間隔を有して複数配設することにより、軸部の軸心線に対して傾斜させた耕耘爪を軸部に複数装着することができる。その結果、耕耘爪による圃場の耕耘作業の仕事量を増大させて、圃場の砕土性や夾雑物の鋤込み性を向上させることができる。
【００１５】
また本発明は、軸部の長手方向に隣接する耕耘爪取付部同士を互いの位相をずらして配設したことを特徴とする。
【００１６】
この発明によれば、軸部の長手方向に隣接する耕耘爪取付部同士を互いの位相をずらして配設することにより、軸部の回転にともなう各耕耘爪取付部の傾き方向を相違させることができる。その結果、隣接する耕耘爪取付部のそれぞれに耕耘爪を装着すると、これらの耕耘爪を互いに相違する方向に向いた状態で回転させることができる。
【００１７】
また本発明は、軸部の長手方向に隣接する耕耘爪取付部同士を同位相で配設したことを特徴とする。
【００１８】
この発明によれば、隣接する耕耘爪取付部同士を同位相で配設することにより、軸部が回転動すると、隣接する耕耘爪取付部は同じように耕耘爪取付部の向きを変えながら回転することになる。その結果、隣接する耕耘爪取付部のそれぞれに耕耘爪を装着すると、これらの耕耘爪を同じように向きを変えながら回転させることができる。
【００１９】
また本発明は、軸部に設けられた複数の耕耘爪取付部を長手方向において略左右対称の位相で配置したことを特徴とする。
【００２０】
この発明によれば、複数の耕耘爪取付部を長手方向において略左右対称の位相で配置することにより、軸部が回転動すると、軸部の長手方向左側の複数の耕耘爪取付部と軸部の長手方向右側の複数の耕耘爪取付部のそれぞれは、軸部の長手方向中央部に対して対称的に回転する。このため、複数の耕耘爪取付部のそれぞれに耕耘爪を装着すると、左側の複数の耕耘爪と右側の複数の耕耘爪の回転動作を、軸部の長手方向に対して対称的にすることができる。
【００２１】
さらに本発明は、耕耘爪取付部に耕耘爪を装着した軸部が回転すると、同一方向に湾曲した耕耘爪の土壌への打ち込み跡が軸部の両端部から中央部側へ、又は中央部から両端部側へ向かって移動するような耕耘爪配列としたことを特徴とする。
【００２２】
この発明によれば、同一方向に湾曲した耕耘爪の打ち込み跡が軸部の両端部から中央部側へ、又は中央部から両端部側へ向かって移動するような耕耘爪配列とすることで、圃場に夾雑物や固まった耕土が存在する場合、軸部の長手方向にずれた複数の耕耘爪が夾雑物等に対して連続的に鋤込み動作及び砕土動作を行う。このため、夾雑物を耕土内に鋤込み易くして、圃場全体の鋤込み性を向上させることができるとともに、振動も少なく砕土性を向上させることができる。
【００２３】
また本発明は、耕耘爪取付部に耕耘爪を装着した軸部が回転すると、同一方向に湾曲した耕耘爪の土壌への打ち込み跡が軸部の一端側から他端側へ向かって移動するような耕耘爪配列としたことを特徴とする。
【００２４】
この発明によれば、同一方向に湾曲した耕耘爪の土壌への打ち込み跡が軸部の一端側から他端側へ向かって移動するような耕耘爪配列とすることで、圃場に長尺の夾雑物や固まった長尺の耕土が存在する場合、軸部の長手方向にずれた位置に配設された複数の耕耘爪が夾雑物等に対して連続的に鋤込み動作及び砕土動作を行う。このため、長尺の夾雑物全体を耕土内に鋤込み易くして、圃場全体の鋤込み性を向上させることができるとともに、砕土性を向上させることができる。
【発明の効果】
【００２５】
本発明に係わる耕耘装置によれば、回転動可能に支持された軸部の外周に軸部の軸心線に対して直交する面から所定角度傾斜させて耕耘爪が装着される耕耘爪取付部を設けたことにより、縦刃部を有した耕耘爪の縦刃部の砕土性能や鋤込み性能を向上させることが可能な耕耘装置を提供することができる。
【発明を実施するための最良の形態】
【００２６】
以下、本発明の好ましい実施の形態を図１から図６に基づいて説明する。耕耘装置１は、図１（ａ）（全体図）に示すように、図示しない走行機体に装着される耕耘装置本体部１０と、耕耘装置本体部１０に回転動可能に支持された耕耘ロータ２０とを有してなる。耕耘ロータ２０は耕耘装置本体部１０内に設けられた図示しない動力伝達機構を介して動力が伝達されて、後述する耕耘爪５０の刃縁が矢印Ａ方向（以下、ダウンカット方向）に回転動するように構成されている。耕耘装置１は、耕耘ロータ２０がダウンカット方向に回転しながら走行機体の走行とともに進行して圃場の耕耘作業を行う。
【００２７】
耕耘ロータ２０は、耕耘装置本体部１０に回転動自在に支持された耕耘軸２１と、耕耘軸２１に装着された複数の耕耘爪５０とを有してなる。耕耘軸２１は、図２（ａ）（正面図）及び（ｂ）（側面図）に示すように、略水平方向に延びて回転動自在に支持された軸部２２と、軸部２２の両端部に径方向に突設された円板状の端フランジ部２４、２５と、端フランジ部２４、２５間の軸部２２に配設された複数の耕耘フランジ３１とを有して構成されている。端フランジ部２４、２５の外周部には耕耘軸２１を図１（ａ）に示す耕耘装置本体部１０に取り付けるための取付孔２６と耕耘爪を取り付ける取付孔２７が設けられている。これらの取付孔２７のうち端フランジ部２４の上部であって軸部２２の軸心線Ｓの垂直上方位置に設けられた取付孔２７は、耕耘フランジ３１を軸部２２に取り付ける際の基準位置となる基準孔２７'として設定されている。
【００２８】
耕耘フランジ３１は、図２（ｃ）（部分平面図、側面図）に示すように、略矩形状に形成された板状部材であり、中央部には軸部２２が挿通される挿通孔３２が設けられ、挿通孔３２の外側には耕耘爪を装着するための取付孔３３が周方向に所定間隔を有して複数設けられている。取付孔３３は、周方向に隣接する二点鎖線で囲まれた２つの取付孔３３、３３が１つの組をなして耕耘爪を取り付けるために用いられる。なお、図２（ｃ）に示す耕耘フランジ３１には４つの耕耘爪を装着可能にするために８つの取付孔３３が設けられている。取付孔３３の数は装着される耕耘爪の数や大きさに応じて任意に設けることができる。複数の取付孔３３のうち外縁部に設けられた取付孔３３がのうちの１つが取付基準孔３３'として設定されている。取付基準孔３３'の持つ意味については後述する。
【００２９】
このように構成された耕耘フランジ３１は、軸部２２の外周に軸部２２の軸心線Ｓに直交する面に対して所定角度傾斜させた状態（例えば、α°）で取り付けられている。耕耘フランジ３１の取り付けについて、図２（ａ）、（ｂ）、（ｃ）及び図６を用いてさらに詳細に説明する。図６は、端フランジ部２４に対する耕耘フランジ３１の取付位置及び耕耘爪の土壌への打ち込み跡を示し、縦軸が耕耘軸２１の回転角度を示し、横軸が端フランジ部２４、２５及び耕耘フランジ３１の番号を示している。この番号は、図２（ａ）で示した番号（１）〜（１０）に対応しており、（１）及び（１０）が端フランジ部２４、２５を示し、（２）〜（９）が軸部２２の左側から右側に配設された耕耘フランジ３１を示している。
【００３０】
これらの図に示すように、軸部２２の左側端部に装着された耕耘フランジ３１（２）は、その取付基準孔３３'の位相を端フランジ部２４の基準孔２７'に対して所定角度（ａ２）ずらすとともに、取付基準孔３３'が基準孔２７'から離反する側に耕耘フランジ３１（２）を所定角度（α°）傾斜させた状態で軸部２２に取り付けられている。また耕耘フランジ３１（３）は、その取付基準孔３３'の位相を端フランジ部２４の基準孔２７'に対して所定角度（ａ３）ずらすとともに取付基準孔３３'が基準孔２７'から離反する側に耕耘フランジ３１（３）を所定角度（α°）傾斜させた状態で軸部２２に取り付けられている。同様に、耕耘フランジ３１（３）〜３１（９）は、取付基準孔３３'の位相を端フランジ部２４の基準孔２７'に対して所定角度（ａ４）、（ａ５）・・（ａ８）、（ａ９）ずらすとともに、取付基準孔３３'を基準孔２７'から離反する側に耕耘フランジ３１（３）〜３１（９）が所定角度（α°）傾斜した状態で軸部２２に取り付けられている。その結果、耕耘軸２１を平面視すると、図３（ａ）に示すように、左右方向に隣接する耕耘フランジ３１はハ字状に配設される。
【００３１】
なお、軸部２２の左側端に取り付けられた図２（ｂ）に示す端フランジ部２４の基準孔２７'とこの下方に設けられた取付孔２７には図６に示す耕耘爪５０が取り付けられている。また、軸部２２の右側端に取り付けられた端フランジ部２５には、図２（ｂ）に示す左側の端フランジ部２４の基準孔２７'に対して所定角度（ａ１０）ずらした位置及びこの位置から１８０°位相がずれた位置に図６に示す耕耘爪５０が取り付けられている。
【００３２】
そして、これらの耕耘フランジ３１を設けた耕耘軸２１が回転動すると、耕耘フランジ３１の側面は耕耘軸２１の回転によって一方側から他方側に及び他方側から一方側に傾斜角度を変えながら回転するとともに、隣接する耕耘フランジ３１の側面は傾斜方向が異なる方向に向いた状態で回転する。
【００３３】
耕耘フランジ３１及び端フランジ部２４、２５に取り付けられる耕耘爪５０は、図４（側面図）に示すように、板状に形成された取付け基部５１から連続的に直線状に延びる縦刃部５３と、縦刃部５３の先端側で折り曲げ線Ｂ−Ｂに沿って一方側に湾曲させた横刃部５７とを有してなる。取付け基部５１には図２（ａ）に示す耕耘フランジ３１に取り付けられるときにボルトを通すための２つの取付孔５２が設けられ、これらの取付孔５２は図２（ｃ）に示す耕耘フランジ３１に設けられた２つで１組をなす取付孔３３、３３と連通可能に配置されている。縦刃部５３の他方側の基部から横刃部５７の始端部にかけて刃縁５５が形成されている。なお、図示はしていないが、縦刃部５３の一方側の基部から横刃部５７の始端部にかけて刃縁５５が形成されてもよい。なお、耕耘爪５０を軸部２２に装着した状態で横刃部５７が耕耘軸２１の左側に延びる耕耘爪５０を、以下「耕耘爪Ｌ」と記し、耕耘爪５０を軸部２２に装着した状態で横刃部５７が耕耘軸２１の右側に延びる耕耘爪５０を、以下「耕耘爪Ｒ」と記す。
【００３４】
そして、図５（ａ）に示すように、これらの耕耘爪Ｌ、Ｒは、耕耘フランジ３１の周方向に交互に配置されて耕耘フランジ３１の側面に沿った状態にボルト５１及びナット５２によって装着されて、耕耘ロータ２０が構成される。なお、図５（ｂ）に示すように、耕耘爪Ｌ同士及び耕耘爪Ｒ同士が隣接して配置されるようにこれらの耕耘爪Ｌ、Ｒを耕耘フランジ３１に装着して耕耘ロータ２０を構成してもよい。ここで、耕耘フランジ３１は、前述したように軸部２２の軸心線Ｓに対して直交する面から所定角度傾斜した方向に向いた状態で軸部２２に取り付けられているので、縦刃部５３も耕耘フランジ３１と同様に軸心線Ｓに対して直交する面から所定角度傾斜した方向に向いた状態で軸部２２に配設されることになる。その結果、耕耘ロータ２０が回転動すると、斜め方向に傾斜した縦刃部５３によって砕土・鋤込み作業を行うことができる。なお、図６に示す左側の端フランジ部２４（１）に取り付けられた耕耘爪５０は耕耘爪（Ｒ）であり、右側の端フランジ部２５（１０）に取り付けられた耕耘爪５０は耕耘爪（Ｌ）である。
【００３５】
このように構成された耕耘ロータ２０がダウンカット方向に回転動すると、図１（ｂ）に示すように、耕耘爪５０の縦刃部５３が圃場Ｈに切り込むようにして耕土内に侵入し、横刃部５７が耕土を反転砕土して耕耘する。また、縦刃部５３は、前述したように、耕耘軸２１の軸心線Ｓに対して直交する面から所定角度傾斜した方向に向いた状態で軸部２２に設けられているので、斜め方向に傾斜した縦刃部５３が圃場Ｈを耕耘することになる。つまり、縦刃部５３の耕土に作用する作用面の大きさが拡大して、縦刃部５３が行う仕事量を増大させることができる。その結果、圃場Ｈに藁等の夾雑物が存在する場合、耕耘爪５０を設けた耕耘ロータ２０による夾雑物の鋤込み性を向上させることができる。また、縦刃部５３によって耕土を立体的に砕土することができる。このため、横刃部５７の他に縦刃部５３によって耕土の砕土作業が可能になり、耕土の砕土性を向上させることができる。
【００３６】
また、隣接する耕耘フランジ３１は互いに位相がずれて配設されているので、耕耘軸２１の回転にともなう各耕耘フランジ３１の傾き方向を相違させることができ、隣接する耕耘フランジ３１のそれぞれに装着された耕耘爪５０を常に異なる方向に向けた状態で回転させることができる。このため、耕土内に打ち込まれた隣接する縦刃部５３のそれぞれの移動軌跡が相違して、夾雑物の鋤込み性や耕土の砕土性をより向上させることができる。
【００３７】
なお、軸部２２の長手方向に隣接する耕耘フランジ３１を同位相にして同一方向に所定角度で傾斜させてもよい。即ち、図３（ｂ）に示すように、耕耘フランジ３１を同一方向に傾けた状態で取り付けてもよい。このように耕耘フランジ３１を軸部２２に装着した場合、耕耘軸２１が回転動すると、隣接する耕耘フランジ３１は同じように耕耘フランジ３１の向きを変えながら回転することになる。このため、隣接する耕耘フランジ３１のそれぞれに耕耘爪を装着すると、これらの耕耘爪も同じように向きを変えながら回転することになる。その結果、軸部２２の長手方向における夾雑物の鋤込み性能や耕土の砕土性能を均一化することができる。
【００３８】
また、図３（ｃ）に示すように、軸部２２に設けられた複数の耕耘フランジ３１を長手方向において略左右対称の位相で配置してもよい。このように耕耘フランジ３１を配設した状態で耕耘爪を設けた耕耘軸２１が回転動すると、軸部２２の左側の複数の耕耘爪と軸部２２の右側の複数の耕耘爪の傾動作を、軸部２２の長手方向に対して対称的にすることができる。即ち、左側の耕耘爪が一方側に傾動すると、右側の耕耘爪は他方側に傾動する。このため、耕耘軸内側に存在する夾雑物や耕土を内側に寄せたり外側に寄せたりしながら、夾雑物を鋤込んだり耕土を砕土したりすることができる。
【００３９】
さらに、耕耘フランジ３１に耕耘爪が装着された耕耘軸２１が回転すると、同一方向に湾曲した耕耘爪の打ち込み跡が耕耘軸２１の両端部から中央部側へ、又は中央部から両端部側へ向かって移動するような耕耘爪配列にしてもよい。このような耕耘爪配列にすると、耕耘ロータ２０が１回転する間に、図６の二点鎖線で示すように、耕耘ロータ２０に配設された複数の耕耘爪５０が、走行機体の走行とともに回転しながら移動して、耕土内に平面視においてＶ字状に打ち込まれる。そして、これらの耕耘爪５０の向きは全て一方向側に向いている。その結果、圃場に存在する夾雑物は耕耘ロータ２０の長手方向一方側に寄せられながら鋤込まれる。これと同時に耕土も一方側に寄せられながら砕土される。そして、これらの耕耘爪５０の回転方向下流側に設けられて他方側に向いた一点鎖線で囲まれた複数の複数の耕耘爪５０が耕土内に平面視においてＶ字状に打ち込まれ、夾雑物が耕耘ロータ２０の長手方向他方側に寄せられながら鋤込まれるとともに、耕土も他方側に寄せられながら砕土される。そして、このような耕耘爪５０の打ち込み動作が繰り返えされる。その結果、耕耘ロータ２０が１回転する間に夾雑物及び耕土は耕耘ロータ２０の長手方向の一方側及び他方側に寄せられながら鋤込まれ及び砕土されるので、夾雑物を確実に耕土内に鋤込み、且つ耕土を確実に砕土することができ、圃場全体の鋤込み性及び砕土性をより向上させることができる。
【００４０】
また、耕耘フランジ３１に耕耘爪が装着された耕耘軸２１が回転すると、同一方向に湾曲した耕耘爪５０の打ち込み跡が耕耘軸２１の一端側から他端側へ向かって移動するような耕耘爪配列にしてもよい。このような耕耘爪配列にすると、圃場に長尺の夾雑物や固まった長尺の耕土が存在する場合、耕耘軸２１の長手方向にずれた位置に配設された複数の耕耘爪５０が夾雑物等に対して連続的に鋤込み動作及び砕土動作を行う。このため、長尺の夾雑物全体を耕土内に鋤込み易くして、圃場全体の鋤込み性を向上させることができるとともに、砕土性を向上させることができる。
【００４１】
このように、圃場の状態に応じた耕耘爪配列にすることで、圃場に存在する夾雑物の鋤込み性や耕土の砕土性を向上させることができる。
【図面の簡単な説明】
【００４２】
【図１】本発明の一実施の形態に係わる耕耘装置を示し、同図（ａ）は耕耘装置の概略全体図であり、同図（ｂ）は耕耘装置の動作を説明するための耕耘ロータの全体図である。
【図２】この耕耘装置に備えられた耕耘軸を示し、同図（ａ）は耕耘軸の正面図であり、同図（ｂ）は耕耘軸の側面であり、同図（ｃ）は耕耘軸の部分平面図及び耕耘フランジの側面図である。
【図３】耕耘フランジの配置を示す耕耘軸の概略平面図である。
【図４】耕耘フランジに装着される耕耘爪の側面図である。
【図５】この耕耘爪が装着された耕耘ロータの側面図である。
【図６】耕耘フランジの端フランジ部に対する取付位置及び耕耘爪の打ち込み動作を示すための図である。
【符号の説明】
【００４３】
１  耕耘装置
２２  軸部
３１  耕耘フランジ（耕耘爪取付部）
３１ａ  側面（面部）
５０  耕耘爪
５３  縦刃部
５７  横刃部
Ｓ  軸心線
【図１】
2005318819.tif 000003
【図２】
2005318819.tif 000004
【図３】
2005318819.tif 000005
【図４】
2005318819.tif 000006
【図５】
2005318819.tif 000007
【図６】
2005318819.tif 000008